(57)【要約】【課題】スイッチを誤操作するおそれがなく、加熱部を適正に制御することのできるヘアーアイロンを提供する。【解決手段】本考案は、毛髪を挟持し加熱して該毛髪に癖を付けるためのヘアーアイロン１０であって、基端を支点として互いに近接離間方向に回動可能な一対のアーム１１，１２と、各アーム１１，１２の先端内側部分にそれぞれ互いに対向して設けられ、前記毛髪を挟持可能な加熱部１３，１４と、加熱部１３，１４への通電を制御するためにアーム１１，１２の側面２０に設けられたスイッチ１８ａ，１８ｂ，１８ｃとを備え、スイッチ１８ａ，１８ｂ，１８ｃの外面はアーム１１，１２の側面２０と同一面を成すか或いはアーム１１，１２の側面２０より凹むように形成されていることを特徴とする。【選択図】図１
0003157846.tif 000002
【実用新案登録請求の範囲】
【請求項１】
毛髪を挟持し加熱して該毛髪に癖を付けるためのヘアーアイロンであって、
基端を支点として互いに近接離間方向に回動可能な一対のアームと、
該各アームの先端内側部分にそれぞれ互いに対向して設けられ、前記毛髪を挟持可能な加熱部と、
該加熱部への通電を制御するために前記アームの側面に設けられたスイッチと、
を備え、該スイッチの外面は前記アームの側面と同一面を成すか或いは該アームの側面より凹むように形成されていることを特徴とするヘアーアイロン。
【請求項２】
毛髪を挟持し加熱して該毛髪に癖を付けるためのヘアーアイロンであって、
基端を支点として互いに近接離間方向に回動可能な一対のアームと、
該各アームの先端内側部分にそれぞれ互いに対向して設けられ、前記毛髪を挟持可能な加熱部と、
該加熱部への通電を制御するために前記アームの側面に設けられたスイッチと、
を備え、該スイッチは長押しスイッチであることを特徴とするヘアーアイロン。
【考案の詳細な説明】
【技術分野】
【０００１】
本考案は、毛髪を挟持し加熱して該毛髪に癖を付けるためのヘアーアイロンに関するものである。
【背景技術】
【０００２】
従来、毛髪にウェーブやカールを付けたり毛髪をストレートにしたりする等、毛髪に癖を付けるためにヘアーアイロンが使用されている。
【０００３】
従来のヘアーアイロンは、一般に、基端を支点に回動可能な一対のアームと、該各アームの先端内側部分に互いに対向して設けられる加熱部とを備えて構成されている。そして、前記アームの外面に突設されたスイッチを操作することによって前記加熱部の通電を制御した上で、該加熱部により毛髪を挟持し加熱した後、前記アームを回して毛髪を巻き付け、毛髪に所定の癖を付けるようになっている（例えば、特許文献１参照）。
【先行技術文献】
【特許文献】
【０００４】
【特許文献１】特開２０００−１５７３２２号公報
【考案の概要】
【考案が解決しようとする課題】
【０００５】
しかしながら、上記した従来のヘアーアイロンでは、前記スイッチが前記アームの外面に突設されているため、使用者が毛髪に所定の癖を付けるために前記アームを把持した際に誤って前記スイッチに触れてしまい、前記加熱部への通電を適正に制御できないおそれがあった。
【０００６】
本考案は、上記した課題を解決すべくなされたものであり、スイッチを誤操作するおそれがなく、加熱部を適正に制御することのできるヘアーアイロンを提供することを目的とするものである。
【課題を解決するための手段】
【０００７】
上記した目的を達成するため、本考案は、毛髪を挟持し加熱して該毛髪に癖を付けるためのヘアーアイロンであって、基端を支点として互いに近接離間方向に回動可能な一対のアームと、該各アームの先端内側部分にそれぞれ互いに対向して設けられ、前記毛髪を挟持可能な加熱部と、該加熱部への通電を制御するために前記アームの側面に設けられたスイッチとを備え、該スイッチの外面は前記アームの側面と同一面を成すか或いは該アームの側面より凹むように形成されていることを特徴とする。
【０００８】
また、本考案は、毛髪を挟持し加熱して該毛髪に癖を付けるためのヘアーアイロンであって、基端を支点として互いに近接離間方向に回動可能な一対のアームと、該各アームの先端内側部分にそれぞれ互いに対向して設けられ、前記毛髪を挟持可能な加熱部と、該加熱部への通電を制御するために前記アームの側面に設けられたスイッチとを備え、該スイッチは長押しスイッチであることを特徴とする。
【考案の効果】
【０００９】
本考案によれば、スイッチを誤操作するおそれがなく、加熱部を適正に制御することができるため、制御性及び安全性の向上を図ることができる等、種々の効果を得ることができる。
【図面の簡単な説明】
【００１０】
【図１】本考案の実施の形態に係るヘアーアイロンを示す斜視図である。
【考案を実施するための形態】
【００１１】
以下、図面を参照しつつ、本考案の実施の形態について説明する。
【００１２】
図１は本考案の実施の形態に係るヘアーアイロンを示す斜視図であり、このヘアーアイロン１０は、基端を支点として互いに近接離間方向に回動可能なように連結される一対のアーム１１，１２と、各アーム１１，１２の先端内側部分にそれぞれ互いに対向して設けられる加熱部１３，１４とを備えている。
【００１３】
一対のアーム１１，１２は、耐熱性及び不燃又は難燃性プラスチックの内部に断熱又は遮熱性素材が充填されて形成され、基端側に設けられる板バネ（図示省略）等の弾性部材によって互いに離間方向に付勢され、先端の離間距離が所定長以上確保できるようになっている。また、一対のアーム１１，１２の基端側には把持部１５，１６が形成されており、いずれか一方のアーム（図示では上側のアーム）１１の把持部１５の基端部には電源コードの接続口１７が設けられている。
【００１４】
いずれか一方のアーム１１の把持部１５には、側面に加熱部１３，１４への通電を制御するための複数のスイッチ１８ａ，１８ｂ，１８ｃが設けられており、これらのスイッチ１８ａ，１８ｂ，１８ｃにより加熱部１３，１４のオン・オフや温度を設定したりすることができるようになっている。そして、これらのスイッチ１８ａ，１８ｂ，１８ｃの周囲には凹部１９が形成され、スイッチ１８ａ，１８ｂ，１８ｃの外面がアーム１１の側面２０と同一面を成すか或いはアーム１１の側面２０より僅かに凹むように形成されている。
【００１５】
また、一方のアーム１１の中央部の外面（図示では上面）には、ＬＣＤディスプレイ２１が設けられ、ＬＣＤディスプレイ２１にはスイッチ１８ａ，１８ｂ，１８ｃの押圧操作に従って加熱部１３，１４の設定温度や表面温度及び電池残量等が表示されるようになっている。
【００１６】
このように上記した構成を備えたヘアーアイロン１０によれば、使用者が毛髪にカールやウェーブ等の癖を付けるためにアーム１１，１２を把持した際に、誤ってスイッチ１８ａ，１８ｂ，１８ｃに触れて押圧操作するおそれがないため、加熱部１３，１４への通電を適正に制御することができ、制御性及び安全性の向上を図ることができる。
【００１７】
なお、上記した実施の形態では、使用者が毛髪にカールやウェーブ等の癖を付けるためにアーム１１，１２を把持した際に、誤ってスイッチ１８ａ，１８ｂ，１８ｃに触れて押圧操作するのを防止するため、スイッチ１８ａ，１８ｂ，１８ｃの外面がアーム１１の側面２０と同一面を成すか或いはアーム１１の側面２０より僅かに凹むようにスイッチ１８ａ，１８ｂ，１８ｃの周囲に凹部１９を設けているが、本考案はこの場合に限定されるものではなく、例えば、凹部１９を設ける代わりに、数秒間押し続けないとその機能を発揮しない長押しスイッチを前記スイッチ１８ａ，１８ｂ，１８ｃに使用してもよい。
【符号の説明】
【００１８】
１０          ヘアーアイロン
１１          アーム
１２          アーム
１３          加熱部
１４          加熱部
１８ａ，１８ｂ，１８ｃ  スイッチ
２０          側面
【図１】
0003157846.tif 000003